(57)【要約】【課題】本発明は、確実且つ容易に積み立てることができる作業性に優れた収納ケースを提供することである。【解決手段】収納物を収納する第１収納部２と、第１収納部２を閉塞可能な第２収納部３と、第１収納部２に対して第２収納部３を固定または解除するための固定具４と、第２収納部３の上面に形成した突出部３ａと、第１収納部２の底面に形成した溝部２ａとを備えた収納ケース１において、突出部３ａ及び溝部２ａは曲面を有する形状から成り、且つ当該突出部３ａの近傍に受容部３ｂを設け、更に溝部２ａの近傍に挿入部２ｂを設けることを特徴とする。【選択図】      図１０
2004174651.tif 000002
【特許請求の範囲】
【請求項１】
収納物を収納する第１収納部と、該第１収納部を閉塞可能な第２収納部と、前記第１収納部に対して前記第２収納部を固定または解除するための固定具と、前記第２収納部の上面に形成した突出部と、前記第１収納部の底面に形成した溝部とを備えた収納ケースにおいて、前記突出部及び前記溝部は曲面を有する形状から成り、且つ当該突出部の近傍に受容部を設け、更に前記溝部の近傍に挿入部を設けることを特徴とする収納ケース。
【請求項２】
前記突出部及び前記溝部は、円形状から成ることを特徴とする請求項１記載の収納ケース。
【請求項３】
前記突出部及び前記溝部は、楕円形状から成ることを特徴とする請求項１記載の収納ケース。
【請求項４】
前記突出部及び前記溝部は、前記収納ケースの位置決め可能な位置に形成される相互に係合可能な形状から成ることを特徴とする請求項１乃至請求項３の何れか記載の収納ケース。
【請求項５】
前記挿入部は、前記突出部の曲面に沿って下方に移動することを特徴とする請求項１記載の収納ケース。
【請求項６】
前記収納ケースには、電動工具を収納する収納部や充電器を収納する収納部が区画され設けられていることを特徴とする請求項１記載の収納ケース。
【請求項７】
前記収納ケースの前記第１収納部または前記第２収納部を透光性を有する材質で形成することを特徴とする請求項１記載の収納ケース。
【発明の詳細な説明】
【０００１】
【発明の属する技術分野】
本発明は、インパクトドライバ／インパクトレンチ等の電動工具を収納するための収納ケースに関するものである。
【０００２】
【従来の技術】
特許文献１に示されているように、従来における収納ケースは、箱形形状を成しており、例えば電動工具及び充電器等を収納する第１収納部（下蓋）と、この第１収納部を閉塞可能な第２収納部（上蓋）とを有し、更に上記第１収納部に対して第２収納部を固定／解除するための固定具（ラッチ）とを備えている。また、第１収納部の底面には複数の溝部（凹部）が形成されており、第２収納部の上面には複数の突出部が形成されている。これら突出部及び溝部は、個々の収納ケースを積み立てた際、積まれた収納ケースの溝部に他の収納ケースの突出部が挿入する構成になっているため、収納ケース同士が所定の位置（重ね位置）に位置決めされると共に、これにより積まれた収納ケースが落下してしまうことを防いでいた。
【特許文献１】
登録意匠第９２０７１５号
【０００３】
【発明が解決しようとする課題】
上述したように収納ケースには、突出部及び溝部が形成されているが、溝部に突出部が挿入され易いように工夫されていたり且つ挿入後に確実に個々の収納ケースを位置決めするよう工夫された収納ケースは提供されていなかった。
【０００４】
通常、この種の収納ケースを積み立てる場合、作業者は溝部に突出部が挿入する作業を目視により確認しながら行っているケースは少なく、大概は作業者の感覚で溝部に突出部が挿入する位置を見付け出し積み立て作業を行っていた。このため、収納ケースの位置決めに手間を要すると共に、万一、個々の収納ケースにおける溝部に突出部が挿入されていない状態で運搬したり、或いはこのような状態で更に収納ケースの積み立て作業を行ってしまうと、積み上げた収納ケースが荷崩れを起し落下してしまい、安定した作業性を確保することができないという問題があった。
【０００５】
本発明の目的は、上記問題を解消し、確実且つ容易に積み立てることができる作業性に優れた収納ケースを提供することである。
【０００６】
【課題を解決するための手段】
上記目的は、収納物を収納する第１収納部と、第１収納部を閉塞可能な第２収納部と、第１収納部に対して第２収納部を固定または解除するための固定具と、第２収納部の上面に形成した突出部と、第１収納部の底面に形成した溝部とを備えた収納ケースにおいて、突出部及び溝部は曲面を有する形状から成り、且つ当該突出部の近傍に受容部を設け、更に溝部の近傍に挿入部を設けることにより達成される。
【０００７】
【発明の実施の形態】
本実施例における収納ケースを図１〜図１０を用いて説明する。なお、本実施例における収納ケース１は、インパクトドライバ／インパクトレンチ等の電動工具等を収納するものとして以下に詳述するが、特に収納物としては電動工具に限定されるものではなく、本発明は他の収納物を収納する収納ケースにも利用可能なものである。図１は本実施例における収納ケース１の外観を示す斜視図、図２は本実施例における収納ケース１の外観を示す正面図、図３は本実施例における収納ケース１の外観を示す左側面図、図４は本実施例における収納ケース１の外観を示す右側面図、図５は本実施例における収納ケース１の外観を示す平面図、図６は本実施例における収納ケース１の外観を示す底面図、図７は本実施例における収納ケース１の外観を示す背面図、図８は本実施例における収納ケース１の開口状態を示す参考斜視図、図９は本実施例における個々の収納ケース１，１１を積み立てた状態を示す断面図（図２のＡ−Ａ線断面方向図）、図１０は本実施例における個々の収納ケース１，１１において受容部３ｂに挿入部１２ｂが挿入される直前の状態を示す説明図である。
【０００８】
図１〜図１０に示すように収納ケース１は、インジェクション成形により箱形形状を成しており、図８に示すように電動工具６や蓄電池７及び充電器８などが配置される第１収納部２と、この第１収納部２を閉塞可能な第２収納部３とを有し、更に上記第１収納部２に対して第２収納部３を固定／解除するための固定具（ラッチ）４と、収納ケース１を搬送する際に把持する回動可能なハンドル５とを備えている。また、第１収納部２の底面には複数の溝部（凹部）２ａと当該溝部２ａの近傍に設けられる周状に連なり突出する挿入部２ｂとが形成されており、第２収納部３の上面には複数の突出部３ａと当該突出部３ａの近傍に設けられる溝形の受容部３ｂとが形成されている。なお、挿入部２ｂの形状は、周状に連なっていなくても受容部３ｂに部分的に挿入係合されるものであれば良い。なお、収納ケース１は、電動工具６などの収容物を保護しなければならないため強度を有する材料により成形されていると共に、第１収納部２及び第２収納部３は蝶番を介して開閉動可能に設けられている。
【０００９】
次に図９及び図１０に示す収納ケース１，１１を用いて説明する。なお、収納ケース１の溝部２ａと収納ケース１１の溝部１２ａ、収納ケース１の突出部３ａと収納ケース１１の突出部１３ａ、収納ケース１の挿入部２ｂと収納ケース１１の挿入部１２ｂ、収納ケース１の受容部３ｂと収納ケース１１の受容部１３ｂは同形状を成しており、受容部１３ｂには図示しない他の収納ケースの挿入部が入り更に収納ケースを積み立てられるようになっている。
【００１０】
収納ケース１，１１における溝部２ａ，１２ａ及び突出部３ａ，１３ａは、双方とも曲面またはＲ形状を有する楕円形を成しており、図９及び図１０に示すように個々の収納ケース１，１１を積み立てる場合、積まれた収納ケース１１の挿入部１２ｂが収納ケース１の突出部３ａの外周を形成する曲面に沿って下方に滑り落ちるよう作用する。この作用により突出部３ａの近傍に設けられる受容部３ｂに挿入部１２ｂが入り込み、収納ケース１，１１同士が所定の位置（重ね位置）に位置決めされるため、積まれた収納ケース１１が収納ケース１から落下してしまうことを防ぐことができ、確実且つ容易に収納ケース１，１１を積み立てることができることから、積み立てた状態で運搬する時に安全性が向上すると共に、作業現場で収納物が煩雑になることなく邪魔にならない位置に収納ケース１，１１を整頓して積み立てておくことができるため、作業スペースを有効に利用することができ作業環境の向上が図れる。
【００１１】
また、本実施例では、図２及び図７に示す通り、第１収納部２の底面面積に対する溝部２ａの総面積、第２収納部３の上面面積に対する突出部３ａの総面積は１０％〜２０％になっているが、上記総面積の割合を大きくする、即ち突出部３ａの曲面距離を大きくすることにより、挿入部２ｂが曲面に当接し下方に滑落し易くなるため、収納ケース１上で収納ケース１１を僅かな距離だけ移動させれば収納ケース１，１１同士を確実且つ容易に積み立てることができ、安定した作業性を確保することができる。
【００１２】
また、本実施例において溝部２ａ及び突出部３ａは、第１収納部２及び第２収納部３の中心点から放射方向にそれぞれ４箇所毎に形成しているが、特に四箇所に限定されることはなく本発明の効果を奏するものであれば１箇所であってもそれ以上の箇所に形成されていても良い。また、上述した実施例では、溝部２ａ及び突出部３ａの形状として曲面またはＲ形状を有する楕円形状を形成したが、この形状は円形状であっても良く、基本的に曲面またはＲ形状に沿って受容部３ｂに挿入部１２ｂが入り込む形状のものであれば良い。更に第１収納部２に突出部３ａを形成し、且つ第２収納部３に溝部２ａを形成しても良く、第１収納部２に受容部３ｂを形成し、且つ第２収納部３に挿入部２ｂを形成しても良い。
【００１３】
また、電動工具は使用目的に応じて多種多用のものが用意されており、主にネジ等を締付けるためのドライバ系、穿孔作業を行うためのドリル系（ハンマ／ハンマドリル含む）、研削／研磨に使用されるグラインダ系などがあり、作業現場にはこれら電動工具が幾つも用意されていることから、状況に応じて作業者が積み立てられている収納ケース１，１１から必要な収納ケース１，１１を取出せなければならないが、上述したように溝部２ａ及び突出部３ａの形状として曲面またはＲ形状を有しているため、受容部３ｂから挿入部１２ｂを外せば曲面またはＲ形状に沿って積み立てた個々の収納ケース１，１１を容易に取出すことができる。
【００１４】
ここで、収納ケース１，１１をそれぞれ開けなくても収納物が何であるか作業者がわかるように、即ち収納ケース１、１１が積まれている状態で収納物が何であるか作業者がわかるように、第１収納部２または第２収納部３を透光性を有する材質で形成する、或いは第１収納部２及び第２収納部３とも透光性を有する材質で形成しても良く、この場合には使い勝手の向上を図ることができる。因みに透光性のレベルとしては、収納物が透けて見える透明レベルのものから収納物の存在がある程度わかるように透けているレベルのものである。
【００１５】
【発明の効果】
本発明によれば、突出部及び溝部は曲面を有する形状から成り、且つ当該突出部の近傍に受容部を設け、更に溝部の近傍に挿入部を設けることで、確実且つ容易に積み立てることができる作業性に優れた収納ケースを提供することができる。
【図面の簡単な説明】
【図１】本発明における収納ケースの外観を示す斜視図である。
【図２】本発明における収納ケースの外観を示す正面図である。
【図３】本発明における収納ケースの外観を示す左側面図である。
【図４】本発明における収納ケースの外観を示す右側面図である。
【図５】本発明における収納ケースの外観を示す平面図である。
【図６】本発明における収納ケースの外観を示す底面図である。
【図７】本発明における収納ケースの外観を示す背面図である。
【図８】本発明における収納ケースの開口状態を示す参考斜視図である。
【図９】本発明における個々の収納ケースを積み立てた状態を示す断面図である。
【図１０】本発明における個々の収納ケースにおいて受容部に挿入部が挿入される直前の状態を示す説明図である。
【符号の説明】
１は収納ケース、２は第１収納部、２ａは溝部、２ｂは挿入部、３は第２収納部、３ａは突出部、３ｂは受容部、４は固定具、５はハンドル、６は電動工具、７は蓄電池、８は充電器、１１は収納ケース、１２は第１収納部、１２ａは溝部、１２ｂは挿入部、１３は第２収納部、１３ａは突出部、１３ｂは受容部である。
【図１】
2004174651.tif 000003
【図２】
2004174651.tif 000004
【図３】
2004174651.tif 000005
【図４】
2004174651.tif 000006
【図５】
2004174651.tif 000007
【図６】
2004174651.tif 000008
【図７】
2004174651.tif 000009
【図８】
2004174651.tif 000010
【図９】
2004174651.tif 000011
【図１０】
2004174651.tif 000012